(57)【要約】【課題】排出トレイの上部に給送トレイが位置する媒体搬送装置において、給送トレイに支持された媒体の後端部の垂れ下がりに起因する不具合を抑制するとともに媒体搬送装置の小型化を実現する。【解決手段】媒体搬送装置は、給送される媒体を支持する給送トレイと、給送トレイから送り出され、下向きに湾曲反転して給送トレイの下側に排出される媒体を受ける、給送トレイの下側に位置する排出トレイと、を備え、給送トレイには、媒体給送方向と交差する方向である媒体幅方向における媒体の端部を持ち上げる凸部が設けられている。凸部は、媒体幅方向における媒体の両端部を持ち上げる様に一対設けられている。給送トレイに支持される媒体の、媒体幅方向のエッジ位置を規制する一対のエッジガイドを備え、凸部は、媒体幅方向においてエッジガイドより媒体幅方向の内側に設けられる。【選択図】図４
2019116359.tif 000002
【特許請求の範囲】
【請求項１】
給送される媒体を支持する給送トレイと、
前記給送トレイから送り出され、下向きに湾曲反転して排出される媒体を受ける、前記給送トレイの下側に位置する排出トレイと、を備え、
前記給送トレイには、媒体給送方向と交差する方向である媒体幅方向における媒体の端部を持ち上げる凸部が設けられている、
ことを特徴とする媒体搬送装置。
【請求項２】
請求項１に記載の媒体搬送装置において、前記凸部は、前記媒体幅方向における媒体の両端部を持ち上げる様に一対設けられている、
ことを特徴とする媒体搬送装置。
【請求項３】
請求項２に記載の媒体搬送装置において、前記給送トレイに支持される媒体の、前記媒体幅方向のエッジ位置を規制する一対のエッジガイドを備え、
前記凸部は、前記媒体幅方向において前記エッジガイドより前記媒体幅方向の内側に設けられる、
ことを特徴とする媒体搬送装置。
【請求項４】
請求項３に記載の媒体搬送装置において、前記一対のエッジガイドのうち、一方が前記媒体幅方向に移動しない固定エッジガイドとして構成されるとともに、他方が前記媒体幅方向に移動可能な可動エッジガイドとして構成され、
前記一対の凸部のうち前記可動エッジガイドの側に設けられた凸部の、前記媒体幅方向の幅が、前記固定エッジガイドの側に設けられた凸部の、前記媒体幅方向の幅より広い、
ことを特徴とする媒体搬送装置。
【請求項５】
請求項１から請求項４のいずれか一項に記載の媒体搬送装置において、前記凸部は、前記給送トレイに一体に設けられている、
ことを特徴とする媒体搬送装置。
【請求項６】
請求項１から請求項４のいずれか一項に記載の媒体搬送装置において、装置上面の外縁を構成する外縁形成部を有するベースフレームを有し、
前記給送トレイは、前記外縁形成部の内側に配置されるとともに、前記給送トレイ及び前記凸部が、前記外縁形成部より上方に非突出となる、
ことを特徴とする媒体搬送装置。
【請求項７】
請求項６に記載の媒体搬送装置において、前記凸部は、頂部が平坦面で形成されるとともに、前記媒体幅方向の内側に向かって下がる傾斜面を備える、
ことを特徴とする媒体搬送装置。
【請求項８】
請求項７に記載の媒体搬送装置において、前記外縁形成部の頂部と、前記平坦面とが面一に形成されている、
ことを特徴とする媒体搬送装置。
【請求項９】
請求項６から請求項８のいずれか一項に記載の媒体搬送装置において、前記排出トレイは、前記ベースフレームに一体に構成される、
ことを特徴とする媒体搬送装置。
【請求項１０】
請求項１から請求項９のいずれか一項に記載の媒体搬送装置において、前記凸部は、第１状態と、当該第１状態より前記給送トレイからの突出量が多くなる第２状態と、を切り換え可能に設けられている、
ことを特徴とする媒体搬送装置。
【請求項１１】
請求項１０に記載の媒体搬送装置において、前記凸部は、揺動可能な揺動部材に設けられ、
前記揺動部材において揺動軸を挟んで前記凸部と反対側に、前記給送トレイに支持される媒体と接触可能な接触部を備え、
前記給送トレイに媒体が支持されていない状態において、前記給送トレイから前記接触部が突出するとともに前記凸部が前記第１状態をとり、
前記給送トレイに媒体が載置されることにより媒体が前記接触部を押し下げ、前記揺動部材を揺動させて、前記凸部が前記第１状態から前記第２状態に切り換わる、
ことを特徴とする媒体搬送装置。
【請求項１２】
媒体を載置する載置台と、
前記載置台に載置された媒体を読み取る読み取り手段と、
前記載置台の上部に設けられるとともに前記載置台を開閉可能な、請求項１から請求項１１のいずれか一項に記載の前記媒体搬送装置と、
を備えた画像読取装置。
【請求項１３】
被記録媒体に記録を行う記録手段を備えた記録ユニットと、
前記記録ユニットの上部に設けられた、請求項１２に記載の前記画像読取装置と、
を備えた記録装置。
【請求項１４】
請求項１３に記載の記録装置において、装置前面にチルト可能な操作部を備え、
前記操作部を上方向にチルトさせることにより、前記記録ユニットの内部にアクセス可能となる、
ことを特徴とする記録装置。
【請求項１５】
請求項１４に記載の記録装置において、前記操作部は、前記画像読取装置に対してチルト可能に取り付けられている、
ことを特徴とする記録装置。
【発明の詳細な説明】
【技術分野】
【０００１】
本発明は、媒体を搬送する媒体搬送装置、及びこれを備えた画像読取装置並びに記録装置に関する。
【背景技術】
【０００２】
画像読取装置の一例であるスキャナーには、媒体搬送装置としての原稿自動送り装置（ＡＤＦ（Ａｕｔｏ  Ｄｏｃｕｍｅｎｔ  Ｆｅｅｄｅｒ）とも呼ばれる）が設けられ、複数枚の原稿の自動送りと読み込みとを行える様に構成されたものがある。原稿自動送り装置の構成として、給送される原稿を支持する給送トレイを備え、この給送トレイから原稿を送り出し、Ｕ字反転させた後に原稿を読み取りし、そして排出トレイに向けて排出する構成が採られたものがある。  
特許文献１には、その様な原稿自動送り装置を備えたスキャナーの一例が記載されている。
【先行技術文献】
【特許文献】
【０００３】
【特許文献１】特開２０１６−７１１２１号公報
【発明の概要】
【発明が解決しようとする課題】
【０００４】
上述のような媒体搬送装置の構成では、排出トレイの上部に給送トレイが位置することとなる。ここで、給送トレイに支持される原稿の長さが給送トレイよりも長いと、原稿の後端部即ち給送トレイからはみ出した部分が下側に垂れ下がる場合がある。この場合、垂れ下がった原稿の後端部が排出トレイに排出される原稿の排出経路を塞いでしまい、適切に原稿を排出できなくなる虞がある。また、特に媒体搬送装置を小型化することによりその影響がさらに大きくなる。
【０００５】
そこで本発明はこの様な状況に鑑みなされたものであり、排出トレイの上部に給送トレイが位置する媒体搬送装置において、給送トレイに支持された媒体の後端部の垂れ下がりに起因する不具合を抑制するとともに媒体搬送装置の小型化を実現することにある。
【課題を解決するための手段】
【０００６】
上記課題を解決する為の、本発明の第１の態様に係る媒体搬送装置は、給送される媒体を支持する給送トレイと、前記給送トレイから送り出され、下向きに湾曲反転して排出される媒体を受ける、前記給送トレイの下側に位置する排出トレイと、を備え、前記給送トレイには、媒体給送方向と交差する方向である媒体幅方向における媒体の端部を持ち上げる凸部が設けられていることを特徴とする。
【０００７】
本態様によれば、給送トレイの下側に排出トレイが設けられる構成、即ち排出トレイの上部に給送トレイが位置する構成において、給送トレイには、媒体給送方向と交差する方向である媒体幅方向における媒体の端部を持ち上げる凸部が設けられているので、媒体給送方向と交差する方向において下に凸となる形状が媒体に形成され、これにより媒体給送方向において媒体が垂れ下がり難くなり、給送トレイに支持された媒体の後端部の垂れ下がりに起因する不具合を抑制することができるとともに装置の小型化が実現できる。
【０００８】
本発明の第２の態様は、第１の態様において、前記凸部は、前記媒体幅方向における媒体の両端部を持ち上げる様に一対設けられていることを特徴とする。  
本態様によれば、前記凸部は、前記媒体幅方向における媒体の両端部を持ち上げる様に一対設けられているので、給送トレイに支持された媒体の後端部がより一層垂れ下がり難くなる。
【０００９】
本発明の第３の態様は、第２の態様において、前記給送トレイに支持される媒体の、前記媒体幅方向のエッジ位置を規制する一対のエッジガイドを備え、前記凸部は、前記媒体幅方向において前記エッジガイドより前記媒体幅方向の内側に設けられることを特徴とする。  
本態様によれば、媒体のサイズに拘わらず、前記凸部によって媒体の端部を持ち上げることができる。
【００１０】
本発明の第４の態様は、第３の態様において、前記一対のエッジガイドのうち、一方が前記媒体幅方向に移動しない固定エッジガイドとして構成されるとともに、他方が前記媒体幅方向に移動可能な可動エッジガイドとして構成され、前記一対の凸部のうち前記可動エッジガイドの側に設けられた凸部の、前記媒体幅方向の幅が、前記固定エッジガイドの側に設けられた凸部の、前記媒体幅方向の幅より広いことを特徴とする。
【００１１】
本態様によれば、前記一対の凸部のうち前記可動エッジガイドの側に設けられた凸部の、前記媒体幅方向の幅が、前記固定エッジガイドの側に設けられた凸部の、前記媒体幅方向の幅より広いので、前記可動エッジガイドを変位させても、媒体の端部を持ち上げることができる。
【００１２】
本発明の第５の態様は、第１から第４の態様のいずれかにおいて、前記凸部は、前記給送トレイに一体に設けられていることを特徴とする。  
本態様によれば、前記凸部は、前記給送トレイに一体に設けられているので、前記凸部を低コストに設けることができる。
【００１３】
本発明の第６の態様は、第１から第４の態様のいずれかにおいて、装置上面の外縁を構成する外縁形成部を有するベースフレームを有し、前記給送トレイは、前記外縁形成部の内側に配置されるとともに、前記給送トレイ及び前記凸部が、前記外縁形成部より上方に非突出となることを特徴とする。
【００１４】
本態様によれば、前記給送トレイは、前記外縁形成部の内側に配置されるとともに、前記給送トレイ及び前記凸部が、前記外縁形成部より上方に非突出となるので、装置の美観を高めることができるとともに、装置保管時の収納スペースを節約することができる。
【００１５】
本発明の第７の態様は、第６の態様において、前記凸部は、頂部が平坦面で形成されるとともに、前記媒体幅方向の内側に向かって下がる傾斜面を備えることを特徴とする。  
本態様によれば、前記傾斜面によって、媒体の端部に極端な湾曲が形成されることを回避することができる。
【００１６】
本発明の第８の態様は、第７の態様において、前記外縁形成部の頂部と、前記平坦面とが面一に形成されていることを特徴とする。  
本態様によれば、上述した第６の態様の作用効果を得ることができる。
【００１７】
本発明の第９の態様は、第６から第８の態様のいずれかにおいて、前記排出トレイは、前記ベースフレームに一体に構成されることを特徴とする。  
本態様によれば、前記排出トレイを、低コストに設けることができる。
【００１８】
本発明の第１０の態様は、第１から第９の態様のいずれかにおいて、前記凸部は、第１状態と、当該第１状態より前記給送トレイからの突出量が多くなる第２状態と、を切り換え可能に設けられていることを特徴とする。
【００１９】
本態様によれば、前記凸部は、第１状態と、当該第１状態より前記給送トレイからの突出量が多くなる第２状態と、を切り換え可能に設けられているので、媒体の端部を確実に持ち上げる為に前記給送トレイからの突出量を多くしても、前記第２状態とすることで、装置保管時の収納スペースを節約することができる。
【００２０】
本発明の第１１の態様は、第１０の態様において、前記凸部は、揺動可能な揺動部材に設けられ、前記揺動部材において揺動軸を挟んで前記凸部と反対側に、前記給送トレイに支持される媒体と接触可能な接触部を備え、前記給送トレイに媒体が支持されていない状態において、前記給送トレイから前記接触部が突出するとともに前記凸部が前記第１状態をとり、前記給送トレイに媒体が載置されることにより媒体が前記接触部を押し下げ、前記揺動部材を揺動させて、前記凸部が前記第１状態から前記第２状態に切り換わることを特徴とする。  
本態様によれば、前記凸部の状態切り換えを行う構成を、構造簡単にして構成することができる。
【００２１】
本発明の第１２の態様に係る画像読取装置は、媒体を載置する載置台と、前記載置台に載置された媒体を読み取る読み取り手段と、前記載置台の上部に設けられるとともに前記載置台を開閉可能な、第１から第１１の態様のいずれかに係る前記媒体搬送装置とを備えたことを特徴とする。  
本態様によれば、画像読取装置において、上述した第１から第１１の態様のいずれかと同様な作用効果が得られる。
【００２２】
本発明の第１３の態様に係る記録装置は、被記録媒体に記録を行う記録手段を備えた記録ユニットと、前記記録ユニットの上部に設けられた、第１２の態様に係る前記画像読取装置とを備えたことを特徴とする。  
本態様によれば、記録装置において、上述した第１から第１１の態様のいずれかと同様な作用効果が得られる。
【００２３】
本発明の第１４の態様は、第１３の態様において、装置前面にチルト可能な操作部を備え、前記操作部を上方向にチルトさせることにより、前記記録ユニットの内部にアクセス可能となることを特徴とする。
【００２４】
本発明の第１５の態様は、第１４の態様において、前記操作部は、前記画像読取装置に対してチルト可能に取り付けられていることを特徴とする。
【図面の簡単な説明】
【００２５】
【図１】第１実施形態に係るプリンターの斜視図。
【図２】第１実施形態に係るプリンターにおいて操作部を回動させた状態を示す斜視図。
【図３】第１実施形態に係るプリンターにおける媒体の搬送経路を示す側断面図。
【図４】第１実施形態に係るプリンターにおける媒体の搬送経路を示す側断面図。
【図５】第１実施形態に係るスキャナーにおける原稿給送経路を示す側断面図。
【図６】第１実施形態に係るスキャナーの平面図。
【図７】第１実施形態に係るプリンター及びスキャナーの側面図。
【図８】第１実施形態に係るスキャナーの変更形態を示す斜視図。
【図９】第２実施形態におけるスキャナーの給送トレイの斜視図。
【図１０】第２実施形態におけるスキャナーの給送トレイの側断面図。
【図１１】プリンターにおいて操作部を回動させた状態における正面図。
【図１２】操作部の取り付け部を示す斜視図。
【図１３】記録ユニットに対してスキャナー及び操作部を回動させた状態を示す斜視図。
【図１４】給送トレイに凸部を設けない構成において給送トレイにセットされた原稿の後端部が垂れ下がった状態を示す模式図。
【発明を実施するための形態】
【００２６】
以下、本発明の実施の形態を図面に基づいて説明する。尚、各実施形態において同一の構成については、同一の符号を付し、最初の実施形態においてのみ説明し、以後の実施形態においてはその構成の説明を省略する。
【００２７】
図１は第１実施形態に係るプリンターの斜視図であり、図２は第１実施形態に係るプリンターにおいて操作部を回動させた状態を示す斜視図であり、図３は第１実施形態に係るプリンターにおける媒体の搬送経路を示す側断面図である。
【００２８】
図４は第１実施形態に係るプリンターにおける媒体の搬送経路を示す側断面図であり、図５は第１実施形態に係るスキャナーにおける原稿給送経路を示す側断面図であり、図６は第１実施形態に係るスキャナーの平面図であり、図７は第１実施形態に係るプリンター及びスキャナーの側面図である。
【００２９】
図８は第１実施形態に係るスキャナーの変更形態を示す斜視図であり、図９は第２実施形態におけるスキャナーの給送トレイの斜視図であり、図１０は第２実施形態におけるスキャナーの給送トレイの側断面図である。
【００３０】
図１１はプリンターにおいて操作部を回動させた状態における正面図であり、図１２は操作部の取り付け部を示す斜視図であり、図１３は記録ユニットに対してスキャナー及び操作部を回動させた状態を示す斜視図であり、図１４は給送トレイに凸部を設けない構成において給送トレイにセットされた原稿の後端部が垂れ下がった状態を示す模式図である。
【００３１】
また、各図において示すＸ−Ｙ−Ｚ座標系はＸ方向が記録媒体の幅方向、すなわち装置幅方向を示し、Ｙ方向が記録装置内の搬送経路における記録媒体の搬送方向、すなわち装置奥行き方向を示し、Ｚ方向が装置高さ方向を示している。
【００３２】
■■■第１実施形態■■■■
＜＜＜プリンターの概要＞＞＞
図１及び図２を参照して、プリンター１０の全体構成について説明する。プリンター１０は、記録装置の一例として、インクジェットプリンターとして構成されている。プリンター１０は、記録ユニット１２と、「画像読取装置」としてのスキャナー部１４とを備える複合機として構成されている。記録ユニット１２の装置前面側には操作部１６が設けられている。
【００３３】
記録ユニット１２の前面側には排出口１８が形成されている。排出口１８には、媒体受けトレイ２０が設けられている。媒体受けトレイ２０は、記録ユニット１２に対して収納状態（図１ないし図４）と引き出し状態（図１における二点鎖線部）とを切換可能に構成されている。尚、図１において符号２０−１は引き出し状態の媒体受けトレイを模式的に示している。記録ユニット１２の上方には、スキャナー部１４が配置されている。スキャナー部１４については後述する。
【００３４】
＜＜＜媒体搬送経路について＞＞＞
図３及び図４において媒体搬送経路２２について説明する。図３及び図４において媒体搬送経路２２に給送する媒体Ｐをセットする媒体支持部２４は、−Ｙ方向側に傾斜した状態で配置されている。媒体支持部２４の媒体支持面２４ａは、−Ｙ方向側に傾斜した姿勢で媒体を支持する。尚、本実施形態における媒体Ｐとは、一例として、Ａ４サイズやＢ５サイズの用紙、写真紙、葉書等のサイズが異なる媒体を含んでいる。
【００３５】
記録ユニット１２内には、媒体搬送経路２２に沿って給送ローラー２６、分離ローラー２８、搬送ローラー対３０、記録部３２及び排出ローラー対３４の順に設けられている。尚、図３において符号Ｐ−１が付された太い実線は、媒体支持部２４から排出ローラー対３４を経て排出口１８から排出される媒体Ｐの案内経路を示している。媒体支持部２４にセットされた媒体は、給送ローラー２６と分離ローラー２８とにニップされて搬送ローラー対３０に向けて送られる。搬送ローラー対３０は、媒体Ｐを「記録手段」としての記録部３２に搬送する。
【００３６】
記録部３２は、キャリッジ３６と、記録ヘッド３８と、支持部材４０とを備えている。キャリッジ３６は、Ｘ軸方向（装置幅方向）に往復動可能に構成されている。キャリッジ３６の下部には、記録ヘッド３８が設けられている。記録ヘッド３８の下面には、インクを−Ｚ軸方向に吐出可能な複数のインク吐出ノズルが設けられている。
【００３７】
記録ヘッド３８の下方において、記録ヘッド３８と対向する領域に支持部材４０が設けられている。支持部材４０は、記録ヘッド３８と対向し、記録ヘッド３８との距離すなわちギャップを規定する。支持部材４０は、搬送ローラー対３０により記録ヘッド３８と対向する領域に搬送されてきた媒体Ｐの下面（記録面と反対側の面）を支持する。そして、記録ヘッド３８は、支持部材４０により支持された媒体Ｐに対してインクを吐出し、媒体Ｐの記録面に記録を実行する。記録が実行された媒体Ｐは、記録部３２の搬送方向下流側に設けられた排出ローラー対３４にニップされて、媒体受けトレイ２０に向けて排紙される。
【００３８】
＜＜＜スキャナー部について＞＞＞
図１ないし図４において、記録ユニット１２の上部に設けられたスキャナー部１４は、スキャナー本体４２と、「媒体搬送装置」としてのＡＤＦ部４４とを備えている。スキャナー本体４２の上部には、ＡＤＦ部４４が−Ｙ軸方向側端部を回動支点として回動可能に取り付けられている。
【００３９】
本実施形態においてＡＤＦ部４４は、スキャナー本体４２の上部に設けられ、原稿をセット可能な「載置台」としての原稿台４６（図３ないし図５）を覆ってプリンター１０の上面の一部を構成する閉じた姿勢（図１ないし図５）と、−Ｙ方向側に回動して原稿台４６を露呈させる開いた姿勢（不図示）とを切換可能に構成されている。スキャナー本体４２において原稿台４６の下方には原稿台４６にセットされた原稿を読み取る読み取り手段４８（図３ないし図５）が配置されている。読み取り手段４８はＸ軸方向に往復動可能に構成されている。
【００４０】
図１ないし図５において、ＡＤＦ部４４は、給送トレイ５０と、原稿給送部５２と、排出トレイ５４と、ベースフレーム５６とを備えている。ベースフレーム５６は、プリンター１０の装置上面の外縁部を形成する外縁形成部５６ａを有している。ベースフレーム５６において＋Ｘ方向側端部には原稿給送部５２が設けられている。原稿給送部５２の−Ｘ方向側には給送トレイ５０が設けられている。給送トレイ５０の−Ｚ方向側にはベースフレーム５６に一体に構成された排出トレイ５４が設けられている。
【００４１】
図５において、ＡＤＦ部４４にセットされた原稿の給送経路について説明する。給送トレイ５０に原稿がセットされると、原稿は原稿給送部５２に設けられた給送ローラー５８により原稿給送経路６０に沿って送られる。原稿給送経路６０において給送ローラー５８の下流側には分離ローラー６２が設けられている。給送ローラー５８により送られた原稿は、分離ローラー６２により分離されて、原稿給送経路６０に沿って−Ｚ軸方向側に湾曲反転させられ、分離ローラー６２の給送方向下流側に設けられた読み取り部６４まで送られる。尚、ＡＤＦ部４４においてＸ軸方向が原稿給送方向、Ｙ軸方向が原稿幅方向に設定されている。
【００４２】
給送された原稿は、読み取り部６４において、原稿台４６の−Ｚ方向側に配置された読み取り手段４８により読み取られる。読み取り手段４８により読み取られた原稿は、排出ローラー６６により排出トレイ５４に排出される。尚、図５において符号Ｐ−３が付された太線は、原稿給送経路６０における原稿Ｐ２（図７）の給送経路を示している。
【００４３】
＜＜＜給送トレイの構成について＞＞＞
次いで、図６及び図７において、給送トレイ５０の構成について説明する。本実施形態における給送トレイ５０において＋Ｘ方向側の端部（原稿給送部５２に近い側）には、固定エッジガイド６８と可動エッジガイド７０とが設けられている。本実施形態において、固定エッジガイド６８は、給送トレイ５０の−Ｙ方向側端部に固定され、給送トレイ５０の原稿を支持する原稿支持面５０ａから＋Ｚ方向側に突出している。
【００４４】
可動エッジガイド７０は給送トレイ５０の−Ｙ方向側端部においてＹ軸方向に所定量移動可能に設けられ、給送トレイ５０の原稿を支持する原稿支持面５０ａから＋Ｚ方向側に突出している。Ｙ軸方向において固定エッジガイド６８及び可動エッジガイド７０の間には原稿をセットすることができ、固定エッジガイド６８及び可動エッジガイド７０は原稿の幅方向の側部のエッジ位置を規制するように構成されている。
【００４５】
本実施形態では、可動エッジガイド７０をＹ軸方向に変位させることにより、固定エッジガイド６８と可動エッジガイド７０との間隔を調整することができ、原稿支持面５０ａにセットされる複数の異なるサイズの原稿に対応することができる。
【００４６】
尚、図６において、符号Ｗ１が付された領域は、可動エッジガイド７０を最も外側（固定エッジガイド６８から最も離間させた状態）に位置させた状態におけるＹ軸方向のエッジガイド間の領域として設定されている。符号Ｗ２が付された領域は、可動エッジガイド７０を最も内側（固定エッジガイド６８に最も接近させた状態（符号７０−１が付された二点鎖線部））に位置させた状態におけるＹ軸方向のエッジガイド間の領域として設定されている。
【００４７】
給送トレイ５０において、−Ｘ方向側端部には、Ｙ軸方向に間隔をおいて一対の凸部７２、７４が形成されている。一例として、凸部７２は給送トレイ５０の−Ｙ方向側端部に一体に形成され、原稿支持面５０ａから＋Ｚ方向に突出している。凸部７４は給送トレイ５０の＋Ｙ方向側端部に一体に形成され、原稿支持面５０ａから＋Ｚ方向に突出している。
【００４８】
本実施形態において、凸部７２は、平坦面７２ａと、ガイド面７２ｂと、傾斜面７２ｃとを備えている。本実施形態において、平坦面７２ａは、凸部７２の頂部として形成され、図５に示すようにＺ軸方向においてベースフレーム５６の外縁形成部５６ａの頂部と面一となるように設定されている。
【００４９】
ガイド面７２ｂは、平坦面７２ａの＋Ｘ方向側端部から＋Ｘ方向側に延びるとともに−Ｚ方向に下る下り傾斜の傾斜面として構成されている。ガイド面７２ｂは、原稿支持面５０ａと平坦面７２ａとを接続している。傾斜面７２ｃは、平坦面７２ａの＋Ｙ軸方向側端部から＋Ｙ軸方向に延びるとともに原稿支持面５０ａ、具体的には、スキャナー部１４の中心線Ｓ１に対してＹ軸方向内側に向けて下がる下り傾斜の傾斜面として構成されている。尚、本実施形態における傾斜面７２ｃは、平坦面７２ａと原稿支持面５０ａとを結ぶ直線状の面ではなく、原稿支持面５０ａに向けて湾曲しつつ下がる曲面として構成されている。
【００５０】
本実施形態における傾斜面７２ｃには、平坦面７２ａから原稿支持面５０ａに向けて下がる直線状の一様な傾斜面だけでなく、例えば、全体として下り傾斜しつつも一部が＋Ｚ方向側に膨らむ曲面、あるいは−Ｚ方向側に凹む曲面も含まれる。
【００５１】
図６において符号Ｗ３が付された領域は、Ｙ軸方向において凸部７２が形成された領域、平坦面７２ａの−Ｙ方向側端部から傾斜面７２ｃにおいて原稿支持面５０ａに一体となった位置までの領域として設定されている。
【００５２】
本実施形態において、凸部７４も、平坦面７４ａと、ガイド面７４ｂと、傾斜面７４ｃとを備えている。本実施形態において、平坦面７４ａは、凸部７４の頂部として形成され、平坦面７２ａと同様に、Ｚ軸方向においてベースフレーム５６の外縁形成部５６ａの頂部と面一となるように設定されている。
【００５３】
ガイド面７４ｂは、平坦面７４ａの＋Ｘ方向側端部から＋Ｘ方向側に延びるとともに−Ｚ方向に下る下り傾斜の傾斜面として構成されている。ガイド面７４ｂは、原稿支持面５０ａと平坦面７４ａとを接続している。傾斜面７４ｃは、平坦面７４ａの＋Ｙ軸方向側端部から＋Ｙ軸方向に延びるとともに原稿支持面５０ａ、具体的には、スキャナー部１４の中心線Ｓ１に対してＹ軸方向内側に向けて下がる下り傾斜の傾斜面として構成されている。尚、本実施形態における傾斜面７４ｃは、平坦面７４ａと原稿支持面５０ａとを結ぶ直線状の面ではなく、傾斜面７２ｃと同様にＺ軸方向において原稿支持面５０ａに向けて湾曲しつつ下がる曲面として構成されている。
【００５４】
図６において符号Ｗ４が付された領域は、Ｙ軸方向において凸部７４が形成された領域、平坦面７４ａの＋Ｙ方向側端部から傾斜面７４ｃにおいて原稿支持面５０ａに一体となった位置までの領域として設定されている。
【００５５】
本実施形態において、Ｙ軸方向において固定エッジガイド６８の側に設けられた凸部７４が形成された領域Ｗ４は、可動エッジガイド７０の側に設けられた凸部７２が形成された領域Ｗ３よりも広く設定されている。
【００５６】
本実施形態において、Ｙ軸方向において凸部７２の少なくとも一部は、固定エッジガイド６８が設けられた位置よりも内側（＋Ｙ軸方向側）に設けられている。Ｙ軸方向において凸部７４の少なくとも一部は、可動エッジガイド７０が設けられた位置よりも内側（−Ｙ軸方向側）に設けられている。つまり、図６に示すように領域Ｗ３及び領域Ｗ４の少なくとも一部は、固定エッジガイド６８と可動エッジガイド７０との間の領域Ｗ１又は領域Ｗ２内に位置している。これにより、可動エッジガイド７０をＹ軸方向に移動させても、固定エッジガイド６８と可動エッジガイド７０との間にセットされた原稿Ｐ２の後端部は、凸部７２、７４に支持されることとなる。
【００５７】
図７において、給送トレイ５０にセットされた原稿Ｐ２の姿勢について説明する。図７に示すように、給送トレイ５０に原稿Ｐ２がセットされると、原稿Ｐ２の幅方向（Ｙ軸方向）の両端部が凸部７２及び凸部７４により持ち上げられた姿勢となる。より具体的には、原稿Ｐ２において、給送方向における後端部側（−Ｘ方向側）において幅方向両端部が上方に持ち上げられた状態となる。この際、傾斜面７２ｃ、７４ｃは、原稿支持面５０ａから平坦面７２ａ、７４ａに向けて原稿Ｐ２を緩やかに湾曲させつつ、原稿Ｐ２の幅方向老端部を持ち上げる。尚、図７における符号Ｐ２が付された太線は給送トレイ５０にセットされた原稿Ｐ２を模式的に図示している。
【００５８】
したがって、給送トレイ５０にセットされた原稿Ｐ２には、給送方向後端部側（−Ｘ軸方向側）においてＹ軸方向において−Ｚ方向側に凸となる形状が形成される。
【００５９】
ここで、図１４に示すように、給送トレイ５０に凸部７２、７４を設けない構成において、原稿の給送方向（Ｘ軸方向）において給送トレイ５０の長さより長尺の原稿Ｐ４がセットされた場合、原稿Ｐ４の後端部Ｐ４Ｅが給送トレイ５０よりはみ出てしまう場合がある。この場合、はみ出た後端部Ｐ４Ｅは給送トレイ５０から−Ｚ方向側に垂れ下がり、排出トレイ５４に排出される原稿Ｐ５の排出経路を遮ることがある。その結果、排出トレイ５４において、排出されてきた原稿Ｐ５が原稿Ｐ４の後端部Ｐ４Ｅと接触することになり、排出トレイ５４への排出が阻害され、排出トレイ５４への原稿の排出性及び載置性が低下する。
【００６０】
本実施形態では、Ｙ軸方向において原稿Ｐ２に−Ｚ方向側に凸となる形状を形成することにより、原稿Ｐ２の後端部側において給送トレイ５０からはみ出た部分が−Ｚ方向側に垂れ下がり難くすることができる。その結果、給送トレイ５０にセットされた原稿Ｐ２において給送トレイ５０からはみ出た後端部が−Ｚ方向側に垂れ下がって、読み取り部６４から排出トレイ５４に向けて排出される原稿の排出経路を遮ることを抑制できる。これにより、ＡＤＦ部４４において排出トレイ５４への原稿Ｐ２の排出性及び載置性を良好に維持できる。
【００６１】
上記説明をまとめるとＡＤＦ部４４は、給送される原稿Ｐ２を支持する給送トレイ５０と、給送トレイ５０から送り出され、−Ｚ軸方向に湾曲反転して排出される原稿Ｐ２を受ける、給送トレイ５０の−Ｚ軸方向側に位置する排出トレイ５４とを備えている。給送トレイ５０には、Ｘ軸方向と交差する方向であるＹ軸方向における原稿Ｐ２の端部を持ち上げる凸部７２、７４が設けられている。
【００６２】
上記構成によれば、給送トレイ５０の下側に排出トレイ５４が設けられる構成、即ち排出トレイ５４の上部に給送トレイ５０が位置する構成において、給送トレイ５０には、Ｘ軸方向と交差する方向であるＹ軸方向における原稿Ｐ２の端部を持ち上げる凸部７２、７４が設けられているので、Ｙ軸方向において−Ｚ軸方向側に凸となる形状が原稿Ｐ２に形成され、これによりＸ軸方向において原稿Ｐ２が垂れ下がり難くなり、給送トレイ５０に支持された原稿Ｐ２の後端部の垂れ下がりに起因する不具合を抑制することができるとともに装置の小型化が実現できる。
【００６３】
凸部７２、７４は、Ｙ軸方向における原稿Ｐ２の両端部を持ち上げる様に一対設けられている。この構成によれば、給送トレイ５０に支持された原稿Ｐ２の後端部がより一層垂れ下がり難くなる。
【００６４】
給送トレイ５０に支持される原稿Ｐ２の、Ｙ軸方向のエッジ位置を規制する一対のエッジガイド６８、７０を備え、凸部７２、７４の少なくとも一部は、Ｙ軸方向においてエッジガイド６８、７０より給送トレイ５０の内側に設けられる。この構成によれば、原稿Ｐ２のサイズに拘わらず、凸部７２、７４によって原稿Ｐ２の端部を持ち上げることができる。
【００６５】
一対のエッジガイド６８、７０のうち、一方がＹ軸方向に移動しない固定エッジガイド６８として構成されるとともに、他方がＹ軸方向に移動可能な可動エッジガイド７０として構成されている。一対の凸部７２、７４のうち可動エッジガイド７０の側に設けられた凸部７４の、Ｙ軸方向の幅（領域Ｗ４）が、固定エッジガイド６８の側に設けられた凸部７２の、Ｙ軸方向の幅（領域Ｗ３）より広い。この構成によれば、可動エッジガイド７０を変位させても、原稿Ｐ２の端部を持ち上げることができる。
【００６６】
凸部７２、７４は、給送トレイ５０に一体に設けられている。この構成によれば、凸部７２、７４は、給送トレイ５０に一体に設けられているので、凸部７２、７４を低コストに設けることができる。
【００６７】
装置上面の外縁を構成する外縁形成部５６ａを有するベースフレーム５６を有し、給送トレイ５０は、外縁形成部５６ａの内側に配置されるとともに、給送トレイ５０及び凸部７２、７４が、外縁形成部５６ａより上方に非突出となる。この構成によれば、装置の美観を高めることができるとともに、装置保管時の収納スペースを節約することができる。
【００６８】
凸部７２、７４は、頂部が平坦面７２ａ、７４ａで形成されるとともに、Ｙ軸方向の内側に向かって下がる傾斜面７２ｃ、７４ｃを備える。この構成によれば、傾斜面７２ｃ、７４ｃによって、原稿Ｐ２の端部に極端な湾曲が形成されることを回避することができる。
【００６９】
外縁形成部５６ａの頂部と、平坦面７２ａ、７４ａとが面一に形成されている。排出トレイ５４は、ベースフレーム５６に一体に構成されている。この構成によれば、前記排出トレイを、低コストに設けることができる。
【００７０】
スキャナー部１４は、媒体を載置する原稿台４６と、原稿台４６に載置された原稿Ｐ２を読み取る読み取り手段４８と、原稿台４６の上部に設けられるとともに原稿台４６を開閉可能な、ＡＤＦ部４４とを備えている。プリンター１０は、被記録媒体に記録を行う記録部３２を備えた記録ユニット１２と、記録ユニット１２の上部に設けられたスキャナー部１４とを備えている。
【００７１】
＜＜＜第１実施形態の変更形態＞＞＞
（１）本実施形態における給送トレイ５０の変更形態として、補助トレイを給送トレイの後端側に設けてもよい。具体的には、図８に示すように、給送トレイ７６の給送方向後端部側（−Ｘ軸方向側）に補助トレイ７８を設けてもよい。尚、給送トレイ７６において補助トレイ７８以外の構成については給送トレイ５０と同様の構成である。
【００７２】
補助トレイ７８は、一例として給送トレイ７６に収納された状態（図８における符号７８−１が付された二点鎖線部）と給送トレイ７６に対して展開した状態（図８）とを切換可能に構成されている。一例として、補助トレイ７８は給送トレイ７６の後端部（−Ｘ軸方向側）に給送トレイ７６に対して回動可能に取り付けられている。尚、補助トレイ７８は給送方向に沿って給送トレイ７６から−Ｘ方向側に引き出す引き出し方式としてもよい。
【００７３】
本変更形態によれば、補助トレイ７８を給送トレイ７６に対して展開状態とすることで、給送方向における原稿Ｐ２の支持領域を後端部側へ延長できるので、原稿Ｐ２の後端部の垂れ下がりを抑制できる。
【００７４】
（２）本実施形態において凸部７２、７４の平坦面７２ａ、７４ａをベースフレーム５６の外縁形成部５６ａの頂部と面一となるように設定したが、この構成に代えて、平坦面７２ａ、７４ａをベースフレーム５６の外縁形成部５６ａの頂部から−Ｚ方向側に位置するように構成してもよい。
【００７５】
（３）本実施形態において、Ｙ軸方向において凸部７２が固定エッジガイド６８とオーバーラップし、凸部７４が可動エッジガイド７０とオーバーラップする構成としたが、この構成に代えて、Ｙ軸方向において凸部７２を固定エッジガイド６８より内側に設けてもよく、凸部７４を可動エッジガイド７０より内側に設ける構成としてもよい。
【００７６】
（４）本実施形態において給送トレイ５０のＹ軸方向両端部にそれぞれ凸部７２及び凸部７４を設ける構成としたが、この構成に代えて、凸部７２及び凸部７４のいずれか一方のみを給送トレイ５０に設ける構成としてもよい。
【００７７】
■■■第２実施形態■■■■
次いで、図９及び図１０において、給送トレイの第２実施形態について説明する。図９及び図１０に示すように、給送トレイ８０は第１実施形態における給送トレイ５０と同様に、原稿支持面８０ａ上において、原稿支持面８０ａから＋Ｚ方向にそれぞれ突出する、固定エッジガイド８２、可動エッジガイド８４、凸部８６及び凸部８８を備えている。
【００７８】
図９及び図１０に示すように、本実施形態における給送トレイ８０の−Ｙ方向側端部には、一例として揺動部材９０が設けられている。図１０において揺動部材９０は、揺動軸９０ａと、凸部９０ｂと、接触部９０ｃとを備えている。揺動部材９０は、揺動軸９０ａを回動軸として給送トレイ８０に対して揺動可能に構成されている。揺動部材９０において揺動軸９０ａを挟んで、一方側端部（−Ｘ方向側端部）には凸部９０ｂが形成され、他方側端部（＋方向側端部）には接触部９０ｃが形成されている。
【００７９】
図９において、給送トレイ８０の凸部８６の平坦面８６ａには、揺動部材９０の凸部９０ｂに対応する開口８０ｂが形成されている。さらに原稿支持面８０ａにおいて固定エッジガイド８２の＋Ｙ方向側には、揺動部材９０の接触部９０ｃに対応する開口８０ｃが形成されている。
【００８０】
図１０において上の図は、原稿支持面８０ａに原稿Ｐ２がセットされていない状態を示している。この状態では、原稿支持面８０ａの開口８０ｃから接触部９０ｃが＋Ｚ方向側に突出し、凸部９０ｂは開口８０ｂ内に入り込んだ状態（第１状態）となっている。
【００８１】
図１０の下の図において、原稿支持面８０ａに原稿Ｐ２をセットすると、接触部９０ｃは原稿Ｐ２と接触し、原稿Ｐ２の重みで−Ｚ方向側に押圧される。その結果、揺動部材９０は揺動軸９０ａを支点に図１０の下の図における反時計回り方向に回動する。尚、図１０の下の図において符号Ｐ−３が付された太線は給送トレイ８０においてＹ軸方向において凸部７２に対応する位置における原稿Ｐ２のセット状態を示している。
【００８２】
これにより、接触部９０ｃは、開口８０ｃ内に引き込まれる。一方、凸部９０ｂは開口８０ｂから突出した状態（第２状態）となり、原稿Ｐ２の後端部を平坦面８６ａからさらに＋Ｚ軸方向側に持ち上げることができる。その結果、原稿Ｐ２にはＹ軸方向において−Ｚ軸方向に凸となる形状が形成されるので、原稿Ｐ２の後端部が給送トレイ８０から垂れ下がることを抑制できる。
【００８３】
第２実施形態において凸部９０ｂは、開口８０ｂ内に引き込まれた第１状態と、当該第１状態より給送トレイ８０からの突出量が多くなる第２状態と、を切り換え可能に設けられている。この構成によれば、原稿Ｐ２の端部を確実に持ち上げる為に給送トレイ８０からの突出量を多くしても、第２状態とすることで、装置保管時の収納スペースを節約することができる。
【００８４】
凸部９０ｂは、揺動可能な揺動部材９０に設けられ、揺動部材９０において揺動軸９０ａを挟んで凸部９０ｂと反対側に、給送トレイ８０に支持される原稿Ｐ２と接触可能な接触部９０ｃを備えている。給送トレイ８０に原稿Ｐ２が支持されていない状態において、給送トレイ８０から接触部９０ｃが突出するとともに凸部９０ｂが第１状態をとり、給送トレイ８０に原稿Ｐ２が載置されることにより原稿Ｐ２が接触部９０ｃを押し下げ、揺動部材９０を揺動させて、凸部９０ｂが第１状態から第２状態に切り換わる。この構成によれば、凸部９０ｂの状態切り換えを行う構成を、構造簡単にして構成することができる。
【００８５】
＜＜＜第２実施形態の変更形態＞＞＞
（１）第２実施形態では、揺動部材９０を給送トレイ８０の−Ｙ方向側端部にのみ設ける構成としたが、この構成に代えて、一例として給送トレイ８０の＋Ｙ方向側端部にのみ揺動部材９０を設ける構成としてもよく、あるいは、給送トレイ８０のＹ軸方向における両端部にそれぞれ揺動部材９０を設ける構成としてもよい。
【００８６】
（２）第２実施形態では、給送トレイ８０の後端部に凸部８６、８８を設ける構成としたが、この構成に代えて、給送トレイ８０に凸部８６、８８を設けずに揺動部材９０の凸部９０ｂを原稿支持面８０ａから進退自在に突出するように構成してもよい。
【００８７】
＜＜＜操作部とスキャナー部との関係について＞＞＞
次いで、第１実施形態及び第２実施形態において適用される操作部１６とスキャナー部１４との関係について、図１ないし図４、図１１ないし図１３を参照して説明する。図３、図４において、操作部１６は、スキャナー部１４のスキャナー本体４２の＋Ｙ方向側端部においてスキャナー本体４２に対して回動可能に取り付けられている。
【００８８】
図１２に示すように、操作部１６の−Ｙ方向側端部における＋Ｚ方向側端部には、操作部１６に対して回動可能な取り付け部９２が複数設けられている。本実施形態において取り付け部９２は、Ｘ軸方向に間隔をおいて２箇所設けられている。
【００８９】
操作部１６をプリンター１０に対して閉じた状態（図１及び図３）から開いた状態（図２、図４及び図１１）へと回動させると、図１１に示すように、プリンター１０の正面において取り付け部９２及びスキャナー本体４２の＋Ｙ方向側端部が露呈する。
【００９０】
本実施形態において操作部１６は、スキャナー本体４２に対して取り付け部９２を介して締結部材９４を締め付けることで、スキャナー本体４２に固定される。締結部材９４は一例としてネジ、ボルト等で構成されている。本実施形態では、プリンター１０の組立時においてプリンター１０の正面側（＋Ｙ方向側）から取り付け部９２に対してアクセスが可能であり、２つの締結部材９４を締め付けるだけで、操作部１６をスキャナー本体４２に取り付けることができるので、組立性を向上させることができる。また、２つの締結部材９４を緩めることで、操作部１６をスキャナー本体４２から取り外すことができ、メンテナンス性を向上させることができる。
【００９１】
図１３において、スキャナー本体４２は、−Ｙ方向側端部を回動支点として記録ユニット１２に対して回動可能に記録ユニット１２に取り付けられている。尚、スキャナー本体４２を記録ユニット１２に対して回動させて開いた状態とする際、スキャナー本体４２に取り付けられた操作部１６もスキャナー本体４２とともに回動する。
【００９２】
図１１に示すように、記録ユニット１２に対してスキャナー本体４２が閉じた状態において操作部１６を開いた状態とすると、スキャナー本体４２と記録ユニット１２との固定部１２ａも露呈する。本実施形態では、スキャナー本体４２は、記録ユニット１２の固定部１２ａに対して複数の締結部材９６により固定されている。締結部材９６を緩めることで、スキャナー部１４の−Ｙ方向側端部を回動支点としてスキャナー部１４を記録ユニット１２に対して装置背面側に回動させることができる。
【００９３】
これにより、図１３に示すように、＋Ｙ方向側に向けて記録ユニット１２の上部を大きく露呈させることができる。その結果、キャリッジ３６及び記録ヘッド３８のメンテナンス作業に必要な作業空間を確保でき、キャリッジ３６及び記録ヘッド３８のメンテナンス作業の作業性を向上させることができる。
【００９４】
ここで、スキャナー部１４を記録ユニット１２に対して固定せず、メンテナンス作業時以外も自由に回動可能な構成とすると、ユーザーが容易にスキャナー部１４を記録ユニット１２に対して開くことができる。一方、記録ユニット１２には回路基板９８（図１３）が設けられており、スキャナー部１４を開くと回路基板９８が露呈する為、ユーザーが容易にスキャナー部１４を開くことができると、回路基板９８に不用意にアクセスし易くなり、故障を招く場合がある。
【００９５】
本実施形態では、スキャナー部１４を装置前面側で記録ユニット１２に締結部材９６により締結することで、スキャナー部１４そのものを、回路基板９８を覆う部材とすることができ、別途回路基板９８を覆う部材を設ける必要が無くなる。さらに、スキャナー部１４を記録ユニット１２に固定することで、スキャナー部１４を記録ユニット１２に対してメンテナンス作業時以外に開くことができないので、記録ユニット１２内へのアクセスを規制し、記録ユニット１２内にクリップ等の導電部材が落下する虞を低減できる。
【００９６】
さらに、図１１に示すように、スキャナー部１４が記録ユニット１２に対して閉じた状態であっても、操作部１６を＋Ｚ方向側に回動（チルト）させることで、記録ユニット１２の正面側から記録ユニット１２内部にアクセスが可能となる。これにより、記録ユニット１２内部において媒体Ｐの紙ジャムが生じた場合でも、操作部１６を回動させるだけで、記録ユニット１２内部のジャムが生じた媒体Ｐを除去することができる。
【００９７】
プリンター１０の装置前面にチルト可能な操作部１６を備え、操作部１６を＋Ｚ方向側にチルトさせることにより、記録ユニット１２の内部にアクセス可能となる。操作部１６は、スキャナー部１４に対してチルト可能に取り付けられている。
【００９８】
また、本実施形態では本発明に係るスキャナー部１４、凸部７２、７４、または揺動部材９０を記録装置の一例としてのインクジェットプリンターに適用したが、その他液体噴射装置一般に適用することも可能である。  
ここで、液体噴射装置とは、インクジェット式記録ヘッドが用いられ、該記録ヘッドからインクを吐出して被記録媒体に記録を行うプリンター、複写機及びファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含むものである。
【００９９】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【０１００】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【０１０１】
１０…プリンター、１２…記録ユニット、１２ａ…固定部、１４……スキャナー部、１６…操作部、１８…排出口、２０…媒体受けトレイ、２２…媒体搬送経路、２４…媒体支持部、２４ａ…媒体支持面、２６、５８…給送ローラー、２８、６２…分離ローラー、３０…搬送ローラー対、３２…記録部、３４…排出ローラー対、３６…キャリッジ、３８…記録ヘッド、４０…支持部材、４２…スキャナー本体、４４…ＡＤＦ部、４６…原稿台、４８…読み取り手段、５０…給送トレイ、５０ａ…原稿支持面、５２…原稿給送部、５４…排出トレイ、５６…ベースフレーム、５６ａ…外縁形成部、６０…原稿給送経路、６４…読み取り部、６６…排出ローラー、６８、８２…固定エッジガイド、７０、８４…可動エッジガイド、７２、７４、８６、８８、９０ｂ…凸部、７２ａ、７４ａ、８６ａ…平坦面、７２ｂ、７４ｂ…ガイド面、７２ｃ、７４ｃ…傾斜面、７６、８０給送トレイ、７８…補助トレイ、８０ａ…原稿支持面、８０ｂ、８０ｃ…開口、９０…揺動部材、９０ａ…揺動軸、９０ｃ…接触部、９２…取り付け部、９４、９６…締結部材、９８…回路基板、Ｐ…媒体、Ｐ２、Ｐ４、Ｐ５…原稿、Ｐ４Ｅ…後端部、Ｓ１…中心線、Ｗ１、Ｗ２、Ｗ３、Ｗ４…領域
【図１】
2019116359.tif 000003
【図２】
2019116359.tif 000004
【図３】
2019116359.tif 000005
【図４】
2019116359.tif 000006
【図５】
2019116359.tif 000007
【図６】
2019116359.tif 000008
【図７】
2019116359.tif 000009
【図８】
2019116359.tif 000010
【図９】
2019116359.tif 000011
【図１０】
2019116359.tif 000012
【図１１】
2019116359.tif 000013
【図１２】
2019116359.tif 000014
【図１３】
2019116359.tif 000015
【図１４】
2019116359.tif 000016